(57)【要約】【課題】本発明の課題は、適切な道順を通る入室を管理するシステムを提供することである。【解決手段】管理ゲートの通過順序とゲート識別情報を対応付けたゲート巡回情報と最後に通過したゲートの識別情報を含む入室管理ファイルを記憶して、前記管理ゲートが送信したゲート識別情報を受信して、前記最後に通過したゲートの識別情報を更新して、管理ゲートが送信する入室管理ファイル要求を受信して、入室管理ファイルを返信するＩＣカードと、前記ＩＣカードから前記入室管理ファイルを受信して、前記入室管理ファイルに含まれる最後に通過したゲートの識別情報とゲート巡回情報から求めた、次に通過するゲート識別情報が、前記管理ゲートのメモリに記憶されているゲート識別情報と比較して一致すれば、前記管理ゲートの通過を許可する管理ゲートとから構成される入室管理システムである。【選択図】図１
2008248547.tif 000002
【特許請求の範囲】
【請求項１】
ＩＣカードと、管理区域の入場を管理する管理ゲートとから構成される入室管理システムであって、
前記ＩＣカードは、
管理ゲートの通過順序とゲート識別情報を対応付けたゲート巡回情報と最後に通過したゲートの識別情報を含む入室管理ファイルを記憶するメモリと、
前記管理ゲートが送信したゲート識別情報を受信して、前記最後に通過したゲートの識別情報を更新する識別情報更新手段と、
管理ゲートが送信する入室管理ファイル要求を受信して、入室管理ファイルを返信する入室管理ファイル返信手段と
を備えるＩＣカードであって、
前記管理ゲートは、
前記ゲート識別情報を記憶するメモリと、
前記ＩＣカードから前記入室管理ファイルを受信する入室管理ファイル受信手段と、
前記最後に通過したゲートの識別情報を用いて、前記ゲート巡回情報の中から次に通過するゲート識別情報と前記管理ゲートのメモリに記憶されているゲート識別情報と比較して一致すれば、前記管理ゲートの通過を許可する通過許可手段と、
前記管理ゲートのメモリに記憶されているゲート識別情報を前記ＩＣカードに送信するゲート識別情報送信手段と、
を備える管理ゲートである、
ことを特徴とする入室管理システム。
【請求項２】
前記ＩＣカードにおいて、
双方向許可条件を含む前記入室管理ファイルを記憶するメモリであって、
前記管理ゲートにおいて、
前記通過許可手段は、前記最後に通過したゲートの識別情報と前記双方向許可条件を用いて、前記ゲート巡回情報の中から前記最後に通過した前記管理ゲートの前のゲート識別情報と前記管理ゲートのメモリに記憶されているゲート識別情報と比較して一致すれば、あるいは、前記最後に通過したゲートの識別情報と前記管理ゲートのメモリに記憶されているゲート識別情報と比較して一致すれば、ゲート通過を許可する、
ことを特徴とする請求項１に記載の入室管理システム。
【発明の詳細な説明】
【技術分野】
【０００１】
本発明は、通行を管理する管理ゲートを用いた入退室管理システムにおいて、利用者が通過する管理ゲートの通過順序を定めて利用者の入室を管理するシステムに関するものである。
【背景技術】
【０００２】
従来から、セキュリティ管理された施設においては、利用者の入退場を管理するために、チェックポイントに設けられた管理ゲートで利用者が所持するＩＣカードを認証して、通行を許可している。
【０００３】
たとえば、特許文献１では、非接触型ＩＣカードに暗証情報と有効期限情報を記憶させて、区画領域に設けたドア（＝管理ゲート）において、入力された暗証情報や現在時刻とＩＣカードの情報とを比較して、判定してドアを開錠する技術が開示されている。
【特許文献１】特開平１０-２８０７５４号公報（段落００５８−段落００７８、図６）
【０００４】
さらには、幾つかの管理ゲートを１つにまとめてゾーンを形成させて、管理ゲートの通行を許可するゾーン管理による通行許可方法がある。
図７は、ゾーン管理による入室管理システム２の概要を説明する図である。入室管理システム２は、ＩＣカード１００と、管理ゲート３００とから構成される。管理ゲート３００は、管理区域５００の入場を管理する。幾つかの管理区域５００がまとまって、１つのゾーン７００を形成している。（幾つかの管理ゲート３００がまとまって、１つのゾーン７００を形成している。）各ゾーン７００は、異なるセキュリティ管理レベルが設定されている。たとえば、各ゾーンは次のようにセキュリティ管理レベルが設定される。
・社員が入室を許可されるゾーン
・特別の権限を持つ社員のみが入室を許可されるゾーン
・社員とアルバイトが入室を許可されるゾーン
このようにゾーン管理された管理区域５００においては、管理ゲート３００は、ゾーンの通行許可が与えられたＩＣカード１００を認証して通行を許可する。
【発明の開示】
【発明が解決しようとする課題】
【０００５】
ところで、特許文献１の技術では、通過を許可する管理ゲートを指定するだけであるので、目的の場所に到達するまでに、通ってほしくない迂回路を通ったり、近道を通ったりすることを防止できないという不具合点がある。
また、ゾーン管理には無い組み合わせの管理ゲートの通行を許可する場合には、新たに、ゾーンを設定しなおさねばならないという不便さがある。
【０００６】
本発明はこのような点を解決するためになされたものであって、本発明の課題は、適切な道順を通る入室を管理するシステムを提供することである。
【課題を解決するための手段】
【０００７】
本発明は、以下のような解決手段により、前記課題を解決する。すなわち、請求項１の発明は、ＩＣカード（１００）と、管理区域の入場を管理する管理ゲート（３００）とから構成される入室管理システムであって、前記ＩＣカード（１００）は、管理ゲートの通過順序とゲート識別情報を対応付けたゲート巡回情報（１９２）と最後に通過したゲートの識別情報（１９４）を含む入室管理ファイル（１９１）を記憶するメモリと、前記管理ゲート（３００）が送信したゲート識別情報（３９７）を受信して、前記最後に通過したゲートの識別情報（１９４）を更新する識別情報更新手段と、管理ゲート（３００）が送信する入室管理ファイル要求を受信して、入室管理ファイル（１９１）を返信する入室管理ファイル返信手段とを備えるＩＣカードであって、
前記管理ゲート（３００）は、前記ゲート識別情報（３９７）を記憶するメモリと、前記ＩＣカードから前記入室管理ファイル（１９１）を受信する入室管理ファイル受信手段と、前記最後に通過したゲートの識別情報（１９４）を用いて、前記ゲート巡回情報（１９２）の中から次に通過するゲート識別情報と前記管理ゲートのメモリに記憶されているゲート識別情報（３９７）と比較して一致すれば、前記管理ゲートの通過を許可する入場許可手段と、前記管理ゲートのメモリに記憶されているゲート識別情報（３９７）を前記ＩＣカード（１００）に送信するゲート識別情報送信手段と、を備える管理ゲートである、ことを特徴とする入室管理システムである。
【０００８】
ここで、ＩＣカードは最後に通過したゲートの識別情報を記憶しているので、通過しようとしている管理ゲートが、ゲート巡回情報に記載されている通過順番の管理ゲートであるか否かを判定することが可能となる。
【０００９】
請求項２の発明は、前記ＩＣカード（１００）において、戻り許可条件（１９３）を有する前記入室管理ファイル（１９１）を記憶するメモリであって、前記管理ゲート（３００）において、前記入場許可手段は、前記最後に通過したゲートの識別情報と前記戻り許可条件を用いて、前記ゲート巡回情報（１９２）の中から前記最後に通過した前記管理ゲートの前のゲート識別情報と前記管理ゲートのメモリに記憶されているゲート識別情報（３９７）と比較して一致すれば、あるいは、前記最後に通過したゲートの識別情報と前記管理ゲートのメモリに記憶されているゲート識別情報（３９７）と比較して一致すれば、ゲート通過を許可する、ことを特徴とする請求項１に記載の入室管理システムである。
【発明の効果】
【００１０】
本願発明によれば、
（１）無用な迂回路を通ったり、近道を通ったりすることを防止した入室を管理することが可能である。
（２）また、ゾーン管理と巡回路指定を併用した入室を管理することが可能である。
【発明を実施するための最良の形態】
【００１１】
以下、図面等を参照しながら、本発明の実施の形態について、更に詳しく説明する。
【００１２】
図１は、本発明による入室管理システム１の概要を説明する図である。
入室管理システム１は、ＩＣカード１００と、管理ゲート３００とから構成される。
管理ゲート３００は、管理区域（たとえば、部屋）５００の入退場を管理する。
管理ゲート３００は、ＩＣカードリーダを備える。
【００１３】
管理ゲート３００は、コンピュータプログラムによって制御される電子錠を有する開閉扉装置である。
【００１４】
図２は、本発明による入室管理システム１の大まかな処理の流れを説明する。
管理ゲート３００は、ＩＣカード１００に入室管理ファイルを要求する（図２（１ａ））。
ＩＣカード１００は、管理ゲート３００が送信した入室管理ファイル要求を受信して、入室管理ファイルを返信する（同（１ｂ））。
管理ゲート３００は、ＩＣカード１００が送信した入室管理ファイルを受信する（同（１ｃ））。
【００１５】
管理ゲート３００は、入室管理ファイルに含まれる最後に通過したゲート（以下、最後のゲート）の識別情報と管理ゲートの通過順序を定めたゲート巡回情報とを参照して、次に通過するゲート（以下、次のゲート）の識別情報を調べる（同（２ａ））。
【００１６】
ゲート巡回情報のとおりに管理ゲートを通過することで、たとえば、スタート地点に戻ったり、出口に到達する。
【００１７】
なお、最後のゲートの位置から、来た路を戻る途中折り返しを許してもよい。（詳細は後述する）
【００１８】
管理ゲート３００は、次のゲートの識別情報が、管理ゲートのゲート識別情報と比較して、一致すれば、入稿通過を許可する（同（２ｂ））。
【００１９】
管理ゲート３００は、管理ゲートの識別情報をＩＣカード１００に送信する（同（３ａ））。
ＩＣカード１００は、管理ゲート３００が送信したゲート識別情報を受信して、最後のゲート識別情報の内容を更新する（同（３ｂ））。
【００２０】
図３は、ＩＣカード１００の詳細な構成図である。
ＩＣカード１００は、ＣＰＵ１０１と、通信部１０２とメモリ（＝記憶手段）１０９と、専用プログラムとを備える。
通信部１０２は、アンテナコイルや、接触端子である。メモリ１０９は、半導体メモリや磁気メモリである。メモリ１０９は、入室管理ファイル１９１を記憶する。
【００２１】
入室管理ファイル１９１は、最後のゲート識別情報１９４と管理ゲートの通過順序を定めたゲート巡回情報１９２とを含むデータファイルである。
また、入室管理ファイル１９１は、途中での折り返しを許可する双方向許可条件１９３を含んでもよい。
【００２２】
専用プログラムは、入室管理ファイル返信手段１１０と、ゲート識別情報更新手段１２０とから構成される。
【００２３】
入室管理ファイル返信手段１１０は、管理ゲート３００が送信する入室管理ファイル要求を受信して、入室管理ファイル１９１を返信する。
ゲート識別情報更新手段１２０は、管理ゲート３００が送信したゲート識別情報をＩＣカードに送信して、このゲート識別情報３９７を用いて、入室管理ファイルの最後に通過したゲートの識別情報１９４を更新する。
【００２４】
図４は、ゲート巡回情報１９２の形式と例である。ゲート巡回情報１９２の項目は、通過順序情報１９２ａとゲート識別情報１９２ｂとを対応付けて構成される。図４には、ゲート巡回情報１９２が例示されている。たとえば、通過順序情報１９２ａが「1」であって、ゲート識別情報１９２ｂ「G20A」である。あるいは、通過順序情報１９２ａが「2」であって、ゲート識別情報１９２ｂ「G30N」である。
【００２５】
図５は、管理ゲート３００の詳細な構成図である。管理ゲート３００は、ＣＰＵ３０１と、電子錠部３０２と、ＩＣカードリーダ３０３と、メモリ３０９と、専用プログラムとを備える。開閉扉３０２は、電子錠を有する扉である。ＩＣカードリーダ３０３は、接触型あるいは非接触型のＩＣカード読取書込み装置である。メモリ１０９は、半導体メモリや磁気メモリである。メモリ１０９は、ゲート識別情報３９７を記憶する。
【００２６】
専用プログラムは、入室管理ファイル受信手段３１０と、入場許可手段３２０と、ゲート識別情報送信手段３３０と、から構成される。
【００２７】
入室管理ファイル受信手段３１０は、入室管理ファイル要求をＩＣカード１００に送信して、返信された入室管理ファイル１９１を受信する。
【００２８】
入場許可手段３２０は、入室管理ファイルの最後のゲート識別情報１９４を用いて、入室管理ファイルのゲート巡回情報１９２を参照して、次のゲートの識別情報を選択して、次のゲートの識別情報とメモリのゲート識別情報３９７と比較して一致すれば、ゲート通過を許可する。
また、入室管理ファイルに双方向許可条件１９３が含まれる場合には、入場許可手段３２０は、入室管理ファイルのゲート巡回情報１９２を参照して、最後のゲートの一つ前に通過した管理ゲートの識別情報を選択して、メモリのゲート識別情報３９７と比較して一致すれば、ゲート通過を許可する。あるいは、入室管理ファイルに双方向許可条件１９３が含まれる場合には、入場許可手段３２０は、入室管理ファイルの最後のゲート識別情報１９４とメモリのゲート識別情報３９７とを比較して一致すれば、ゲート通過を許可する。
【００２９】
ゲート識別情報送信手段３３０は、メモリのゲート識別情報３９７をＩＣカード１００に送信する。
【００３０】
図６は、入場許可処理のフローチャートである。
【００３１】
（１）入場許可手段３２０は、ゲート巡回情報１９２にゲート識別情報３９７（＝ゲートＩＤ）が存在するか否かを判定する（Ｓ１２０）。
ゲートＩＤ３９７が存在すれば、ステップＳ１３０に進む。
ゲートＩＤ３９７が存在しなければ、Ｓ１２５に進む。
（２）入場許可手段３２０は、通過を不可として、終了する。（Ｓ１２５）
（３）入場許可手段３２０は、ゲート巡回情報における自ゲートの順位を取得しＮに代入して、ゲート巡回情報における最後のゲートの順位を取得しＭに代入して、（Ｓ１３０）Ｎ＝Ｍ＋１であるか否かを判定する。（Ｓ１４０）
等しければ、Ｓ１４５に進む。
等しくなければ、Ｓ１５０に進む。
（４）入場許可手段３２０は、ゲート通過を許可して終了する。（Ｓ１４５）
【００３２】
（５）入場許可手段３２０は、双方向許可条件１９３が存在するか否かを判定する。（Ｓ１５０）
双方向許可条件１９３が存在すれば、Ｓ１６０に進む。
双方向許可条件１９３が存在しなければ、Ｓ１５５に進む。
（６）入場許可手段３２０は、ゲート通過を不可として終了する。（Ｓ１５５）
（７）入場許可手段３２０は、Ｎ＝Ｍであるか否かを判定する。（Ｓ１６０）
等しければ、Ｓ１６２に進む。
等しくなければ、Ｓ１７０に進む。
（８）入場許可手段３２０は、ゲート通過を許可して終了する。（Ｓ１６２）
（９）入場許可手段３２０は、Ｎ＝Ｍ−１であるか否かを判定する。（Ｓ１７０）
等しければ、Ｓ１６５に進む。
等しくなければ、Ｓ１６２に進む。
（１０）入場許可手段３２０は、ゲート通過を不可として終了する。（Ｓ１７２）
（１１）入場許可手段３２０は、ゲート通過を許可して終了する。（Ｓ１７５）
【００３３】
以上詳しく説明したように、本願発明によれば、本願発明によれば、
（１）無用な迂回路を通ったり、近道を通ったりすることを防止した入室を管理することが可能となった。
（２）また、ゾーン管理と巡回路指定を併用した入室を管理することが可能となった。
【図面の簡単な説明】
【００３４】
【図１】本発明による入室管理システム１の概要を説明する図
【図２】本発明による入室管理システム１の大まかな処理の流れ
【図３】ＩＣカード１００の詳細な構成図
【図４】ゲート巡回情報１９２の形式と例
【図５】管理ゲート３００の詳細な構成図
【図６】入場許可処理のフローチャート
【図７】（従来例）ゾーン管理による入室管理システム２の概要を説明する図
【符号の説明】
【００３５】
１  本発明による入室管理システム
２  （従来例）ゾーン管理による入室管理システム
１００  ＩＣカード
１９１  入室管理ファイル
１９２  ゲート巡回情報
１９２ａ  通過順序情報
１９２ｂ  ゲート識別情報
１９３  双方向許可条件
１９４  ゲート識別情報
３００  管理ゲート
３９７  ゲート識別情報
５００  管理区域
７００  ゾーン
【図１】
2008248547.tif 000003
【図２】
2008248547.tif 000004
【図３】
2008248547.tif 000005
【図４】
2008248547.tif 000006
【図５】
2008248547.tif 000007
【図６】
2008248547.tif 000008
【図７】
2008248547.tif 000009